(57)【特許請求の範囲】
【請求項１】
列車制御ネットワークと列車運行ネットワークとを組み合わせたブロードバンド通信ネットワークであって、
前記列車制御ネットワークおよび前記列車運行ネットワークの結合ネットワークにおけるデータ送信に使用される前記ブロードバンド通信ネットワークは、トラステッドネットワークと非トラステッドネットワークとを含むことを特徴とし、データ通信は、前記トラステッドネットワークと前記非トラステッドネットワークとの間でセキュリティゲートウェイを介して実行され、
前記トラステッドネットワークは、各車両に設けられる信頼できる車両レベルのネットワークエレメントを備え、かつ先頭車両および最後尾の車両の各々には、前記信頼できる車両レベルのネットワークエレメントに加えて、信頼できる列車レベルのネットワークエレメントが設けられ、前記信頼できる車両レベルのネットワークエレメントは、前記信頼できる列車レベルのネットワークエレメントと通信し、前記トラステッドネットワークにおいて送信されるデータは、前記列車制御ネットワークにおける制御データ、監視データおよび診断情報データと、前記列車運行ネットワークにおける乗客情報データおよびビデオ情報データとを含み、
前記非トラステッドネットワークは、前記先頭車両および前記最後尾の車両のそれぞれに設けられる信頼できない列車レベルのネットワークエレメントを備え、
１つの信頼できる列車レベルのネットワークエレメントは、セキュリティゲートウェイを介して１つの信頼できない列車レベルのネットワークエレメントと通信し、かつ幾つかのセキュリティゲートウェイは、互いに冗長であり、前記非トラステッドネットワークは、前記列車と地上との間の接続を行い、
前記トラステッドネットワークと前記非トラステッドネットワークとの間で送信されるべきデータは、前記信頼できる列車レベルのネットワークエレメントと前記信頼できない列車レベルのネットワークエレメントとの間で、セキュリティゲートウェイを介して双方向的に伝達される、列車制御ネットワークと列車運行ネットワークとを組み合わせたブロードバンド通信ネットワーク。
【請求項２】
前記トラステッドネットワークでは、各車両に、２つの信頼できる車両レベルのネットワークエレメント、信頼できる車両レベルのネットワークエレメントＩおよび信頼できる車両レベルのネットワークエレメントＩＩが設けられ、前記２つの信頼できる車両レベルのネットワークエレメントは、相互接続されて信頼できる車両レベルのネットワーク・エレメント・グループを形成し、かつ前記先頭車両における前記信頼できる列車レベルのネットワークエレメントおよび前記最後尾の車両における前記信頼できる列車レベルのネットワークエレメントは、それぞれ相互接続されるポートを２つ有し、かつ前記先頭車両における前記信頼できる列車レベルのネットワークエレメントと前記最後尾の車両における前記信頼できる列車レベルのネットワークエレメントとの２つの端部の相互接続は、前記相互接続されるポートによって実現され、かつ各車両における前記信頼できる車両レベルのネットワークエレメントＩは、前記先頭車両における前記信頼できる列車レベルのネットワークエレメントへ接続され、かつ各車両における前記信頼できる車両レベルのネットワークエレメントＩＩは、前記最後尾の車両における前記信頼できる列車レベルのネットワークエレメントへ接続されて信頼できるリング・ネットワーク・アーキテクチャを形成し、前記非トラステッドネットワークでは、前記先頭車両における前記信頼できない列車レベルのネットワークエレメントおよび前記最後尾の車両における前記信頼できない列車レベルのネットワークエレメントは、各々２つの相互接続されるポートを有し、かつ前記先頭車両における前記信頼できない列車レベルのネットワークエレメントと前記最後尾の車両における前記信頼できない列車レベルのネットワークエレメントとの間の２つの端部の相互接続は、前記相互接続されるポートによって実現されて、信頼できないリング・ネットワーク・アーキテクチャを形成することを特徴とする、請求項１に記載の列車制御ネットワークと列車運行ネットワークとを組み合わせたブロードバンド通信ネットワーク。
【請求項３】
前記トラステッドネットワークでは、各車両内に少なくとも１つの信頼できる車両レベルのネットワークエレメントおよび少なくとも１つの信頼できる列車レベルのネットワークエレメントが設けられ、かつ各車両における前記列車レベルのネットワークエレメントは、隣接する車両における前記信頼できる列車レベルのネットワークエレメントへ連続して直列に接続されて信頼できる列車レベルの線形ネットワークアーキテクチャを形成し、前記非トラステッドネットワークでは、前記先頭車両および前記最後尾の車両に加えて、各車両に前記信頼できない列車レベルのネットワークエレメントが設けられ、前記先頭車両から前記最後尾の車両までの車両における前記信頼できない列車レベルのネットワークエレメントは、連続して接続されて信頼できない線形ネットワークアーキテクチャを形成し、または、前記車両における前記信頼できない列車レベルのネットワークエレメントは、エンドツーエンドで連続して接続されて信頼できないリング・ネットワーク・アーキテクチャを形成することを特徴とする、請求項１に記載の列車制御ネットワークと列車運行ネットワークとを組み合わせたブロードバンド通信ネットワーク。
【請求項４】
前記先頭車両および前記最後尾の車両に加えて、各車両において、前記信頼できる列車レベルのネットワークエレメントは、前記セキュリティゲートウェイを介して前記信頼できない列車レベルのネットワークエレメントと通信できることを特徴とする、請求項３に記載の列車制御ネットワークと列車運行ネットワークとを組み合わせたブロードバンド通信ネットワーク。
【請求項５】
前記信頼できる列車レベルのネットワークエレメントおよび前記信頼できない列車レベルのネットワークエレメントの通信ポートとして光ポートが使用され、かつ前記先頭車両における前記信頼できる列車レベルのネットワークエレメントと前記最後尾の車両における前記信頼できる列車レベルのネットワークエレメントとの間の接続媒体として光ケーブルが使用され、かつ前記光ケーブルは、前記先頭車両における前記信頼できない列車レベルのネットワークエレメントと前記最後尾の車両内における前記信頼できる列車レベルのネットワークエレメントとの間の接続媒体として使用されることを特徴とする、請求項１〜３の何れか一項に記載の列車制御ネットワークと列車運行ネットワークとを組み合わせたブロードバンド通信ネットワークアーキテクチャ。
【発明の詳細な説明】
【技術分野】
【０００１】
本出願は、列車ネットワーク通信の技術分野に属し、かつ通信ネットワークアーキテクチャに関し、具体的には、列車制御ネットワークと列車運行ネットワークとを組み合わせたブロードバンド通信ネットワークアーキテクチャおよびこのアーキテクチャを用いる通信方法に関する。
【背景技術】
【０００２】
列車通信ネットワークは、列車制御ネットワークおよび列車運行ネットワークを含み得る。列車制御ネットワークは、主として、列車の車両内に散開する列車搭載デバイスを、これらが協働的に動作しかつ情報を共有できるように制御して、列車搭載デバイスの故障検出および保全を実現するように機能する。列車運行ネットワークは、主として、情報サービスを提供し、かつ列車内の関連スタッフおよび乗客のために列車−地上通信を実施するように機能する。
【０００３】
この従来技術における列車通信ネットワークには、次のような問題がある。
（１）ほとんどの列車で、制御ネットワークおよび運行ネットワークは、通常、独立したネットワークアーキテクチャを用いる。
（２）列車制御ネットワークでは、ＭＶＢ、ＣＡＮおよびＨＤＬＣ等の制御バスが使用される。列車内の通信データ量は、大幅に増加していることから、通信制御をリアルタイムで行うことができても、大量のデータ伝達を叶えることができない。
（３）ＷＩＦＩサービスをサポートする列車では、列車制御ネットワークと列車運行ネットワークとを組み合わせたソリューションが採用されている。しかしながら、セキュリティ対策がされていないことから、列車におけるネットワーク通信のセキュリティを保証するためのポリシが存在しない。
（４）列車の通信ネットワークアーキテクチャとしてイーサネット（登録商標）を用いる設計では、イーサネットケーブルとしてツイストペアケーブルが使用される。その結果、このソリューションは、ツイストペアケーブルの伝送距離および伝送品質によって制限される。
【発明の概要】
【発明が解決しようとする課題】
【０００４】
従来技術のこれらの欠点に鑑みて、本発明の目的は、列車制御ネットワークと列車運行ネットワークとを組み合わせた、データ伝送セキュリティレベルが高い通信ネットワークアーキテクチャを提供することにあり、かつこの通信ネットワークアーキテクチャを用いる列車通信方法をも提供することにある。
【課題を解決するための手段】
【０００５】
本出願は、次のような技術的ソリューション、即ち、トラステッドネットワークおよび非トラステッドネットワークを含む、列車制御ネットワークと列車運行ネットワークとを組み合わせたブロードバンド通信ネットワークアーキテクチャ、を用いる。トラステッドネットワークは、各車両に設けられる信頼できる車両レベルのネットワークエレメントを備える（列車は、通常、先頭車両、最後尾の車両および中間車両を備え、「各車両」という言い回しは、先頭車両、最後尾の車両または中間車両を指す）。先頭車両および最後尾の車両の各々には、信頼できる車両レベルのネットワークエレメントに加えて、信頼できる列車レベルのネットワークエレメントが設けられる。非トラステッドネットワークは、先頭車両および最後尾の車両に各々設けられる信頼できない列車レベルのネットワークエレメントを含む。１つの信頼できる列車レベルのネットワークエレメントは、セキュリティゲートウェイを介して１つの信頼できない列車レベルのネットワークエレメントと通信し、幾つかのセキュリティゲートウェイは、互いに冗長である。
【０００６】
例えば、あるトラステッドネットワークでは、先頭車両における信頼できる列車レベルのネットワークエレメントは、主要セキュリティゲートウェイを介して先頭車両における信頼できない列車レベルのネットワークエレメントと通信し、このトラステッドネットワークにおいて、最後尾の車両における信頼できる列車レベルのネットワークエレメントは、補助セキュリティゲートウェイを介して最後尾の車両における信頼できない列車レベルのネットワークエレメントと通信し、主要セキュリティゲートウェイおよび補助セキュリティゲートウェイは、互いに冗長である。通常、先頭車両における信頼できる列車レベルのネットワークエレメントは、主要セキュリティゲートウェイを介して先頭車両における信頼できない列車レベルのネットワークエレメントと通信する。主要セキュリティゲートウェイの通信回線に故障が発生すると、最後尾の車両における補助セキュリティゲートウェイの通信回線が起動される。
【０００７】
好ましくは、トラステッドネットワークでは、各車両内に少なくとも１つの信頼できる車両レベルのネットワークエレメントが設けられ、各車両内のすべての信頼できる車両レベルのネットワークエレメントは、各車両内で信頼できる車両レベルのネットワーク・エレメント・グループを形成し、かつ先頭車両における信頼できる列車レベルのネットワークエレメントの２つの端部および最後尾の車両における信頼できる列車レベルのネットワークエレメントの２つの端部は、相互接続されて信頼できるリング・ネットワーク・アーキテクチャを形成し、各車両における信頼できる車両レベルのネットワーク・エレメント・グループは、先頭車両における信頼できる列車レベルのネットワークエレメントおよび最後尾の車両における信頼できる列車レベルのネットワークエレメントと各々通信し、非トラステッドネットワークでは、先頭車両における信頼できない列車レベルのネットワークエレメントの２つの端部および最後尾の車両における信頼できない列車レベルのネットワークエレメントの２つの端部は、相互接続されて信頼できないリング・ネットワーク・アーキテクチャを形成する。
【０００８】
またさらに、信頼できる車両レベルのネットワーク・エレメント・グループは、２つの信頼できる車両レベルのネットワークエレメントを含む。即ち、各車両において、信頼できる車両レベルのネットワーク・エレメント・グループは、信頼できる車両レベルのネットワークエレメントＩおよび信頼できる車両レベルのネットワークエレメントＩＩを含み、これらの２つの信頼できる車両レベルのネットワークエレメントは、相互接続される。言い換えれば、各車両における信頼できる車両レベルのネットワークエレメントＩおよび信頼できる車両レベルのネットワークエレメントＩＩは、相互接続され、かつ各車両における信頼できる車両レベルのネットワークエレメントＩは、先頭車両における信頼できる列車レベルのネットワークエレメントへ接続され、かつ各車両における信頼できる車両レベルのネットワークエレメントＩＩは、最後尾の車両における信頼できる列車レベルのネットワークエレメントへ接続される。
【０００９】
具体的には、各車両における信頼できる車両レベルのネットワーク・エレメント・グループ（相互接続された信頼できる車両レベルのネットワークエレメントＩおよび信頼できる車両レベルのネットワークエレメントＩＩ）は、先頭車両における信頼できる車両レベルのネットワークエレメントおよび最後尾の車両における信頼できる車両レベルのネットワークエレメントと共に、信頼できるリング・ネットワーク・アーキテクチャを形成する。
【００１０】
好ましくは、トラステッドネットワークでは、各車両内に少なくとも１つの信頼できる車両レベルのネットワークエレメントおよび少なくとも１つの信頼できる列車レベルのネットワークエレメントが設けられて信頼できるネットワーク・エレメント・グループを形成し、かつ各車両における信頼できるネットワーク・エレメント・グループは、連続して直列に接続されて信頼できる線形ネットワークアーキテクチャを形成し、非トラステッドネットワークでは、先頭車両および最後尾の車両に加えて、各車両（先頭車両および最後尾の車両を除く各中間車両）内に信頼できない列車レベルのネットワークエレメントが設けられ、先頭車両から最後尾の車両までの車両（先頭車両、最後尾の車両および中間車両を含む）における信頼できない列車レベルのネットワークエレメントは、連続して接続されて信頼できない線形ネットワークアーキテクチャを形成し、または、車両（先頭車両、最後尾の車両および中間車両を含む）における信頼できない列車レベルのネットワークエレメントは、エンドツーエンドで連続して接続されて信頼できないリング・ネットワーク・アーキテクチャを形成する。
【００１１】
具体的には、信頼できない線形ネットワークアーキテクチャとは異なり、信頼できないリング・ネットワーク・アーキテクチャでは、先頭車両および最後尾の車両における信頼できない列車レベルのネットワークエレメントが相互接続されてリングネットワークを形成する。
【００１２】
またさらに、トラステッドネットワークでは、各車両内に１つの信頼できる車両レベルのネットワークエレメントおよび２つの信頼できる列車レベルのネットワークエレメントが設けられ、これらは、エンドツーエンドで連続して接続されて車両内にリングネットワーク構造体を形成する。
【００１３】
例えば、各車両は、信頼できる車両レベルのネットワークエレメントと、信頼できる車両レベルのネットワークエレメントＩと、信頼できる車両レベルのネットワークエレメントＩＩとを備える。信頼できる車両レベルのネットワークエレメントＩおよび信頼できる車両レベルのネットワークエレメントＩＩは、相互接続され、かつ信頼できる車両レベルのネットワークエレメントＩおよび信頼できる車両レベルのネットワークエレメントＩＩの双方は、信頼できる列車レベルのネットワークエレメントと通信することができてリング・ネットワーク・アーキテクチャを形成する。
【００１４】
またさらに、先頭車両および最後尾の車両に加えて、任意の車両における信頼できる列車レベルのネットワークエレメントは、セキュリティゲートウェイを介して信頼できない列車レベルのネットワークエレメントと通信することができる。この方法では、ネットワークの冗長性が高められる。
【００１５】
具体的には、各中間車両の場合、信頼できない列車レベルのネットワークエレメントも設けられていることから、中間車両における信頼できる列車レベルのネットワークエレメントは、セキュリティゲートウェイを介して信頼できない列車レベルのネットワークエレメントとも通信することができる。これにより、先頭車両または最後尾の車両における信頼できる列車レベルのネットワークエレメントと信頼できない列車レベルのネットワークエレメントとの通信に故障が発生した際の列車内ネットワーク通信への影響が回避される。
【００１６】
好ましくは、信頼できる列車レベルのネットワークエレメントおよび信頼できない列車レベルのネットワークエレメントの通信ポートとして光ポートが使用され、かつ先頭車両における信頼できる列車レベルのネットワークエレメントと最後尾の車両における信頼できる列車レベルのネットワークエレメントとの間の接続媒体として光ケーブルが使用され、かつ先頭車両における信頼できない列車レベルのネットワークエレメントと最後尾の車両における信頼できる列車レベルのネットワークエレメントとの間の接続媒体として光ケーブルが使用される。光ケーブルによる伝送には、広い伝送周波数帯域、大きな通信容量および低い伝送損失という利点がある。光ケーブルの他に、他の通信ケーブルが使用されてもよい。
【００１７】
列車制御ネットワークと列車運行ネットワークとを組み合わせた、列車制御ネットワークおよび列車運行ネットワークがトラステッドネットワークおよび非トラステッドネットワークに分かれるブロードバンド通信ネットワークアーキテクチャを用いてデータ通信を実行する方法は、トラステッドネットワークにおける通信方法と、トラステッドネットワークと非トラステッドネットワークとの間の通信方法とを含む。
【００１８】
トラステッドネットワークにおいて送信されるデータは、列車制御ネットワークにおける制御データ、監視データおよび診断情報データを含み、さらに、列車運行ネットワークにおける乗客情報データおよびビデオ情報データを含む。異なるデータに対しては、異なる優先順位が設定される。制御データ、監視データおよび診断情報データ等のプロセスデータは、乗客情報データおよびビデオ情報データの優先性より高い優先性を有する。送信されるべきデータは、自動的にキャッシュされ、次に、優先順に送信される。
【００１９】
非トラステッドネットワークとトラステッドネットワークとの間で送信されるべきデータは、信頼できない列車レベルのネットワークエレメントと信頼できる列車レベルのネットワークエレメントとの間で、セキュリティゲートウェイを介して双方向的に送信される。トラステッドネットワークから非トラステッドネットワークへ送信されるデータは、列車走行データおよび列車内／外の温度データを含む。非トラステッドネットワークからトラステッドネットワークへ送信されるデータは、非常警報デバイスへ転送される地上オーディオデータと、トップセットボックスへ転送される地上ビデオデータとを含む。ネットワーク間通信の間、セキュリティゲートウェイは、まず、データを送信するデバイスに対してデバイス認証を実行し、デバイスが認証条件を満たしていれば、次に、データメッセージに対してメッセージ認証を実行する。
【００２０】
本出願は、次のような有益な効果を有する。
（１）本願のネットワークアーキテクチャは、列車制御ネットワークと列車運行ネットワークとを組み合わせたブロードバンド通信ネットワークアーキテクチャであり、これにより、列車制御情報、監視情報および診断情報、ならびに乗客情報およびビデオ情報を結合されたネットワーク内で送信することができ、即ち、乗客情報提供システムネットワークからのデータおよび列車制御ネットワークからのデータを結合ネットワークにおいて送信することができ、よって、乗客情報提供システムネットワークの帯域幅に対する要望が満たされ、かつ列車ネットワークの安定性が保証される。
【００２１】
（２）列車制御ネットワークおよび列車運行ネットワークにおいて送信されるべきデータの異なるセキュリティレベルに従って、列車制御ネットワークと列車運行ネットワークとを組み合わせたネットワークアーキテクチャは、トラステッドネットワークと非トラステッドネットワークに分割され、よって、列車制御ネットワークにおける制御データ、監視データおよび診断情報データと、列車運行ネットワークにおける乗客情報データおよびビデオ情報データは、トラステッドネットワーク内で一緒に送信され、かつ列車走行データ、列車内／外の温度データ、非常警報デバイスへ転送される地上オーディオデータ、セットトップボックスへ転送される地上ビデオデータおよびこれらに類似するものは、セキュリティゲートウェイによって認証された後にトラステッドネットワークおよび非トラステッドネットワーク間で送信される。一方で、非トラステッドネットワークは、さらに、列車と地上との間の通信、および地上と列車との間のＷＩＦＩアクセスを担当する。列車内の物理ネットワークから無線ネットワークを隔離することにより、列車ネットワークにおけるデータ伝送のセキュリティが強化される。
【００２２】
（３）本出願では、従来のジャンピングリング方式とは異なる内接リングネットワーク方式が使用される。各車両には、幾つかの信頼できる車両レベルのネットワークエレメントが設けられてもよい。冗長な信頼できる車両レベルのネットワークエレメントは、ダブル・ネットワーク・ポートによってアクセスされ、かつ信頼できる車両レベルのネットワークエレメントは各々、コアである信頼できる列車レベルのネットワークエレメントと共にリングネットワークを形成する。ある車両において通信に故障が発生しても、他の車両における通信は、影響を受けないものとする。優れた故障分離性能および冗長性が示される。具体的には、内接リングネットワークは、円環接触を形成するすべての円環中心が接点の同じ側にあること、およびこの接点は、すべてのリングの共通ノードになることを意味する。先頭車両および最後尾の車両におけるネットワークデバイスを接点としてとることにより、接点として機能するネットワークデバイスは、中間車両におけるネットワークデバイスと共に内接リングネットワークを形成する。
【図面の簡単な説明】
【００２３】
【図１】実施形態１における第１の構造略図である。
【図２】実施形態１における第２の構造略図である。
【図３】実施形態１による、モータ車両における信頼できる車両レベルのネットワークエレメント間の接続を示す構造略図である。
【図４】実施形態１による、トレーラ車両における信頼できる車両レベルのネットワークエレメント間の接続を示す構造略図である。
【図５】実施形態２の構造略図である。
【符号の説明】
【００２４】
１：信頼できない列車レベルのネットワークエレメント、
２：信頼できる列車レベルのネットワークエレメント、
３：信頼できる車両レベルのネットワークエレメント、
４：セキュリティゲートウェイ、
５：先頭車両、
６：最後尾の車両
【発明を実施するための形態】
【００２５】
以下、添付の図面を参照して、本出願の具体的な実装についてさらに詳細に説明する。
【００２６】
実施形態１
列車制御ネットワークと列車運行ネットワークとを組み合わせたブロードバンド通信ネットワークアーキテクチャ（以下、ネットワークアーキテクチャと称する）を提供し、これにより、列車制御ネットワークと列車運行ネットワークとの結合ネットワークにおけるデータ伝送を実現することができる。このネットワークアーキテクチャでは、列車制御ネットワークおよび列車運行ネットワークがトラステッドネットワークと非トラステッドネットワークに分割され、トラステッドネットワークにおいて伝送されるデータは、列車制御ネットワークにおける制御データ、監視データおよび診断情報データを含み、かつさらに、列車運行ネットワークにおける乗客情報データおよびビデオ情報データを含む。データ通信は、トラステッドネットワークと非トラステッドネットワークとの間で、セキュリティゲートウェイを介して実行される。送信されるべきデータには、列車走行データおよび列車内／外の温度データ、非常警報デバイスへ転送される地上オーディオデータおよびセットトップボックスへ転送される地上ビデオデータが含まれる。一方で、非トラステッドネットワークは、さらに、電車と地上との間の接続、および列車と地上との間の通信の実現、および地上と列車との間のＷＩＦＩアクセスを担当する。ＷＩＦＩアクセスのリスクは高く、列車ネットワークに侵入する手段となる可能性が高い。
【００２７】
本ネットワークアーキテクチャは、以下の特有の構造を有する。図１に示すように、トラステッドネットワークは、各車両内に信頼できる車両レベルのネットワークエレメント（ネットワーク構成要素）３を備える。先頭車両５および最後尾の車両６には、信頼できる車両レベルのネットワークエレメント３に加えて、信頼できる列車レベルのネットワークエレメント２が設けられる。非トラステッドネットワークは、各々先頭車両５および最後尾の車両６に設けられる信頼できない列車レベルのネットワークエレメント１を備える。トラステッドネットワークでは、先頭車両５における信頼できる列車レベルのネットワークエレメント２が、セキュリティゲートウェイ４を介して先頭車両５における信頼できない列車レベルのネットワークエレメント１と通信し、かつトラステッドネットワークでは、最後尾の車両６における信頼できる列車レベルのネットワークエレメント２が、セキュリティゲートウェイ４を介して最後尾の車両６における信頼できない列車レベルのネットワークエレメント１と通信する。２つのセキュリティゲートウェイ４は、主要セキュリティゲートウェイおよび補助セキュリティゲートウェイであってもよく、これらは、互いに冗長である。例えば、先頭車両５が接続されるセキュリティゲートウェイ４が主要セキュリティゲートウェイとして規定されれば、通常、先頭車両５における信頼できる列車レベルのネットワークエレメント２は、主要セキュリティゲートウェイを介して信頼できない列車レベルのネットワークエレメントと通信する。主要セキュリティゲートウェイの通信回線に故障が発生する、または、デバイスに故障が発生すると、最後尾の車両６と補助セキュリティゲートウェイとの間の通信回線が起動される。
【００２８】
図２に示すように、２つのモータ車両と２つのトレーラ車両とを有する列車を例にとって、本ネットワークアーキテクチャの特有の実装について説明する。このような４車両は、次のような形式、即ち、モータ車両（ＴＣ）−トレーラ車両（Ｍ）−トレーラ車両（Ｍ）−モータ車両（ＴＣ）の形式、で配列される。４車両のうちで、２つのモータ車両は、先頭車両および最後尾の車両であり、２つのトレーラ車両は、中間車両である。先頭車両および最後尾の車両におけるネットワークエレメントは、トラステッドネットワークと非トラステッドネットワークとの間の通信を担当することから、先頭車両および最後尾の車両におけるネットワークエレメントの配列は、中間車両におけるネットワークエレメントの配列とは異なる。
【００２９】
ネットワークエレメント（ネットワーク構成要素）は、次のようにして配列される。中間車両（この実施形態では、２つのトレーラ車両）では、カバーされるネットワークがトラステッドネットワークであり、よって各車両に、２つの信頼できる車両レベルのネットワークエレメント、即ち信頼できる車両レベルのネットワークエレメントＩ３および信頼できる車両レベルのネットワークエレメントＩＩ３、が設けられ、これらが信頼できる車両レベルのネットワークエレメントのグループを形成する。２つの信頼できる車両レベルのネットワークエレメントによる冗長設計の使用が、冗長なネットワークアーキテクチャの確立を容易にし、かつネットワーク通信の安定性を保証することは、留意されるべきである。本ネットワークアーキテクチャの要件によれば、各車両における信頼できる車両レベルのネットワークエレメントの数は、２つに限定されない。各車両には、１つ、３つ、または４つ以上の信頼できる車両レベルのネットワークエレメントが存在してもよい。先頭車両および最後尾の車両は、トラステッドネットワークおよび非トラステッドネットワークの双方によってカバーされる、トラステッドネットワークと非トラステッドネットワークとの共通部分になる。先頭車両および最後尾の車両の各々の内部には、２つの信頼できる車両レベルのネットワークエレメント３（信頼できる車両レベルのネットワークエレメントのグループを形成する信頼できる車両レベルのネットワークエレメントＩ３および信頼できる車両レベルのネットワークエレメントＩＩ３）に加えて、１つの信頼できる列車レベルのネットワークエレメント２および１つの信頼できない列車レベルのネットワークエレメント１が設けられる。一方で、ネットワーク通信の認証を行うためのツールとして、セキュリティゲートウェイ４がさらに設けられる。
【００３０】
ネットワークは、以下の構造を有する。２つのトレーラ車両、先頭車両および最後尾の車両の各々において、信頼できる車両レベルのネットワークエレメントＩ３および信頼できる車両レベルのネットワークエレメントＩＩ３は、直列に接続され、かつ信頼できる車両レベルのネットワークエレメントＩ３および信頼できる車両レベルのネットワークエレメントＩＩ３は、デバイスレベルの冗長性を保証するために互いに冗長である。信頼できる車両レベルのネットワークエレメントＩ３および信頼できる車両レベルのネットワークエレメントＩＩ３は、１００メガバイトのイーサネットツイストペアによって接続される。各車両における信頼できる車両レベルのネットワークエレメントＩ３は、先頭車両における信頼できる列車レベルのネットワークエレメント２へ接続され、かつ各車両における信頼できる車両レベルのネットワークエレメントＩＩ３は、最後尾の車両における信頼できる列車レベルのネットワークエレメント２へ接続される。図２に示すように、実線で示されるネットワーク接続および破線で示されるネットワーク接続は、互いに冗長である信頼できるリング・ネットワーク・アーキテクチャを形成し、一方は、主要回線であって、他方は、バックアップ回線である。通常は、主要回線が動作し、主要回線に故障が発生すると、バックアップ回線が起動して動作する。各車両における信頼できる車両レベルのネットワークエレメント３のための接続ポートに加えて、先頭車両における信頼できる列車レベルのネットワークエレメント２および最後尾の車両における信頼できる列車レベルのネットワークエレメント２は、各々２つの相互接続ポートを有し、これらによって、先頭車両における信頼できる列車レベルのネットワークエレメント２および最後尾の車両における信頼できる列車レベルのネットワークエレメント２の２つの端部が相互接続されて信頼できるリング・ネットワーク・アーキテクチャを形成する。先頭車両における信頼できる列車レベルのネットワークエレメント２は、先頭車両における信頼できない列車レベルのネットワークエレメント１へセキュリティゲートウェイ４を介して接続される。同様に、最後尾の車両における信頼できる列車レベルのネットワークエレメント２は、最後尾の車両における信頼できない列車レベルのネットワークエレメント１へセキュリティゲートウェイ４を介して接続される。このようにして、トラステッドネットワークと非トラステッドネットワークとの間の通信が実現される。非トラステッドネットワークでは、先頭車両における信頼できない列車レベルのネットワークエレメント１および最後尾の車両における信頼できない列車レベルのネットワークエレメント１もまた、各々２つの相互接続ポートを有し、これらによって、先頭車両における信頼できない列車レベルのネットワークエレメント１および最後尾の車両における信頼できない列車レベルのネットワークエレメント１の２つの端部が相互接続されて信頼できないリング・ネットワーク・アーキテクチャを形成する。信頼できる列車レベルのネットワークエレメントおよび信頼できない列車レベルのネットワークエレメントが通信するためのポートとしては、光ポートが使用される。列車レベルのネットワークエレメント間の接続ネットワークでは、列車バスとして、全二重モードをサポートしかつ１０００Ｍｂｉｔ／秒の伝送速度を有する１０００Ｂａｓｅ−ＬＸが使用される。先頭車両における信頼できる列車レベルのネットワークエレメントと最後尾の車両における信頼できない列車レベルのネットワークエレメントとの間の接続媒体としては、光ケーブルが使用され、かつ光ケーブルは、先頭車両における信頼できない列車レベルのネットワークエレメントと最後尾の車両における信頼できる列車レベルのネットワークエレメントとの間の接続媒体としても使用される。
【００３１】
以下、列車搭載デバイスとの接続および通信の方法を説明する。
トラステッドネットワークにおいて、信頼できる車両レベルのネットワークエレメント３は、ルーティングおよびネットワークアドレス変換等の機能を有し、かつ列車の再接続および逆多重化後のネットワーク再構成を担当する。トラステッドネットワークにおけるデバイスは、主として列車制御情報、監視情報および診断情報、ならびに乗客情報およびビデオ情報を送信するために、同じローカルエリアネットワーク内に存在する。異なるデータに対しては、異なる優先順位が設定される。列車制御データ、監視データおよび診断情報データ等のプロセスデータは、最も高い優先順位を有し、ビデオ情報は、より低い優先順位を有する。送信されるべきデータは、自動的にキャッシュされ、次に、優先順に送信される。モータ車両において、信頼できる車両レベルのネットワークエレメント３は、２４００メガバイトの電気ポート＋２キロメガの光ポートを有する２層スイッチであって、これらのスイッチは、光ポートによって互いに接続される。図３に示すように、キャブ内のヒューマン−マシンインタフェースＨＭＩ、車両制御ユニットＶＣＵ、リモート入／出力モジュールＲＩＯＭおよびブレーキ制御ユニットＢＣＵ等の主要な端末デバイスは、２つの冗長な車両レベルのスイッチへ、２つのネットワークポートによって同時に接続される。これらの２つのスイッチの一方には、所望に応じて、火災警報システムＦＡＳ、イベント記録モジュールＥＲＭ、走行診断システムＴＤＳ、補助制御ユニットＳＩＶ、電子ドア制御ユニットＥＤＣＵ、暖房、換気および空調ユニットＨＶＡＣ等の単一ネットワーク・ポート・デバイス、およびＰＩＳシステムにおけるプロジェクションホスト、エンドスクリーン、カメラ、非常警報デバイス、ＬＣＤマップ、乗客情報システムコントローラおよび車両コントローラが接続されるものとする。
【００３２】
トレーラ車両において、信頼できる車両レベルのネットワークエレメント３は、２４００メガバイトの電気ポート＋２キロメガの光ポートを有する２層スイッチであって、これらのスイッチは、光ポートによって互いに接続される。図４に示すように、駆動制御ユニットＤＣＵおよびリモート入／出力モジュールＲＩＯＭは、冗長スイッチへ２つのネットワークポートによって接続される。ＰＩＳシステムにおける車両コントローラ、ＬＣＤ電子マップ、非常警報デバイス、車両コントローラおよび車両ネットワーク切換ユニットは、各々所望に応じて２つのスイッチのうちの一方へ接続される。
【００３３】
非トラステッドネットワークには、列車と地上との間の通信およびＷＩＦＩサービスネットワークに関連する、セントラルサーバおよびＷＩＦＩアクセスデバイス等のＰＩＳシステム内のデバイスが配置される。非トラステッドネットワークにおいて、列車レベルの帯域幅は、全二重モードで１０００Ｍである。車両レベルのデバイスは、１００メガバイトの全二重モードを採用している。各モータ車両および各トレーラ車両には、ＷＩＦＩホットスポットが配置され、セントラルサーバは、モータ車両に配置される。
非トラステッドネットワークとトラステッドネットワークは、セキュリティゲートウェイにより１００メガバイトのポートを介して接続される。セキュリティゲートウェイを通るメッセージには、次の２種類がある。
【００３４】
非トラステッドネットワークからトラステッドネットワークへ送信されるデータストリーム、即ち、非常警報デバイスへ転送される地上オーディオデータ、およびセットトップボックスへ転送される地上ビデオデータ、および、
トラステッドネットワークから非トラステッドネットワークへ送信されるデータストリーム、即ち、列車走行データおよび列車の内／外の温度データ。
【００３５】
セキュリティゲートウェイは、デバイス認証およびメッセージ認証の機能を有する。ネットワーク間通信を実行する必要がある端末デバイスは、まず、セキュリティゲートウェイのデバイス認証に合格しなければならない。セキュリティゲートウェイを通るメッセージは、既定のフォーマットによるものでなければならない。即ち、既定のフォーマットによるメッセージは、セキュリティゲートウェイを介してトラステッドネットワークと非トラステッドネットワークとの間で送信可能である。
【００３６】
実施形態２
この実施形態は、列車制御ネットワークと列車運行ネットワークとを組み合わせたブロードバンド通信ネットワークアーキテクチャを提供する。実施形態１と同様に、このネットワークアーキテクチャも、やはりトラステッドネットワークと非トラステッドネットワークとに分割される。実施形態１との相違点は、このネットワークアーキテクチャに特有の構成にある。
【００３７】
図５に示すように、この場合も、２つのモータ車両および２つのトレーラ車両を有する列車を例にとって、ネットワークアーキテクチャの特有の実装について説明する。このような４車両は、次のような形式、即ち、モータ車両（ＴＣ）−トレーラ車両（Ｍ）−トレーラ車両−モータ車両（ＴＣ）の形式、で配列される。これらの車両のうちで、２つのモータ車両は、先頭車両および最後尾の車両であり、２つのトレーラ車両は、中間車両である。先頭車両および最後尾の車両におけるネットワークエレメントは、トラステッドネットワークと非トラステッドネットワークとの通信を担当する。
【００３８】
この実施形態では、トラステッドネットワークにおけるネットワークは、２つのアーキテクチャ、即ち、列車レベルおよび車両レベルのアーキテクチャ、を有するように設計される。即ち、トラステッドネットワークは、信頼できる列車レベルのネットワークと信頼できる車両レベルのネットワークとを含む。
【００３９】
各車両における信頼できる車両レベルのネットワークエレメントの数は、端末デバイスの数によって決定することができる。この実施形態では、各車両内に１つの信頼できる車両レベルのネットワークエレメント３および２つの信頼できる列車レベルのネットワークエレメント２が設けられ、これらの３つのネットワークエレメントは、エンドツーエンドで連続して接続されて冗長リングネットワーク構造体を形成する。言い換えれば、車両レベルのネットワークでは、この車両における信頼できる車両レベルのネットワークエレメントと信頼できる列車レベルのネットワークエレメントとがリングネットワークを形成する。２つの信頼できる列車レベルのネットワークエレメント２は、互いに冗長である。
【００４０】
車両における通信は、信頼できる車両レベルのネットワークエレメント３または信頼できる列車レベルのネットワークエレメント２によって実現される。各車両における任意の２つの信頼できる列車レベルのネットワークエレメント２は、各々、隣接する車両における信頼できる列車レベルのネットワークエレメント２へ連続して直列に接続され、信頼できる線形ネットワークアーキテクチャを形成する。
【００４１】
列車レベルのネットワークでは、リンクアグリゲーションによって、バイパス機能をサポートする信頼できる列車レベルのネットワークエレメント２が線形ネットワークを形成する。非トラステッドネットワークでは、先頭車両、最後尾の車両および中間車両の各々に信頼できない列車レベルのネットワークエレメント１が設けられる。信頼できない列車レベルのネットワークエレメント１は、先頭車両から最後尾の車両まで連続して接続され、信頼できない線形ネットワークアーキテクチャを形成する。先頭車両および最後尾の車両における信頼できない列車レベルのネットワークエレメント１は、セキュリティゲートウェイ４を介して、先頭車両および最後尾の車両における信頼できる列車レベルのネットワークエレメント２へ接続されかつこれと通信する。実施形態１の原理と同様に、先頭車両および最後尾の車両におけるセキュリティゲートウェイは、主要セキュリティゲートウェイと、補助セキュリティゲートウェイとを含む。通常、主要セキュリティゲートウェイは、トラステッドネットワークと非トラステッドネットワークとの間の通信を担当する。主要セキュリティゲートウェイの通信回線に故障が発生する、または、デバイスに故障が発生すると、補助セキュリティゲートウェイの通信回線が通信を担当する。このソリューションでは、先頭車両および最後尾の車両に、互いに冗長であるセキュリティゲートウェイが配置されることも留意されるべきである。しかしながら、実際の適用においては、セキュリティゲートウェイの位置は、所望に応じて決定されてもよく、所定の具体的な車両に限定されない。セキュリティゲートウェイが中間車両に配置されれば、中間車両における信頼できる車両レベルのネットワークエレメント２は、このセキュリティゲートウェイへ接続されてトラステッドネットワークと非トラステッドネットワークとの間の通信接続部を形成する。即ち、中間車両における信頼できる車両レベルのネットワークエレメント２は、セキュリティゲートウェイを介して同じ中間車両における信頼できない列車レベルのネットワークエレメント２と通信する。
【００４２】
非トラステッドネットワークでは、ネットワークは、実際のニーズに従って、リングネットワーク、線形ネットワークまたはスターネットワークであってもよい。この実施形態では、各車両における１つの列車レベルのネットワークエレメントが直線的に接続される線形ネットワークが使用される。
【００４３】
ネットワークエレメント間の通信インタフェースは、所望に応じて構成することができ、かつトラステッドネットワークと非トラステッドネットワークとの間の伝送媒体は、光ファイバおよび光ケーブルに限定されない。
【００４４】
トラステッドネットワークにおいて、列車レベルのネットワークは、２４００メガバイトの電気ポートを有する２層スイッチを用いる。キャブ内のヒューマン−マシンインタフェースＨＭＩ、車両制御ユニットＶＣＵ、リモート入／出力モジュールＲＩＯＭおよびブレーキ制御ユニットＢＣＵ等の主要な端末デバイスは、２つの冗長な列車レベルのスイッチへ、２つのネットワークポートによって同時に接続される。これらの２つの冗長な列車レベルのスイッチの一方には、所望に応じて、補助制御ユニットＳＩＶ、電子ドア制御ユニットＥＤＣＵ、暖房、換気および空調ユニットＨＶＡＣ等の単一ネットワーク・ポート・デバイス、およびＰＩＳシステムにおけるプロジェクションホスト、エンドスクリーン、カメラ、非常警報デバイス、ＬＣＤマップ、乗客情報システムコントローラおよび車両コントローラが接続されるものとする。
【００４５】
トラステッドネットワーク間、およびトラステッドネットワークと非トラステッドネットワークとの間のデータ通信方法は、実施形態１に類似する。
【図１】
0006397585.tif 000002
【図２】
0006397585.tif 000003
【図３】
0006397585.tif 000004
【図４】
0006397585.tif 000005
【図５】
0006397585.tif 000006